(57)【要約】  薬剤の送液時において、薬剤の種類ごとに定められている所定の上限値を超えない適切な送液量で薬剤を送液することが可能な送液ポンプの提供。  送液した薬剤の生体内における濃度をシミュレートしながら、薬剤を送液する送液ポンプであって、送液された薬剤の量に基づいて、薬剤の生体内における濃度を演算する演算部と、演算部により演算された薬剤の血中濃度、または、薬剤の効果部位濃度が所定の目標濃度に達しているか否かを判定する判定部と、薬剤の上限導入流量と、薬剤の上限維持流量と、目標濃度と、を記憶する記憶部と、目標濃度の入力を受け付ける受付部と、判定部の判定結果に応じて、薬剤の送液量の上限値を上限導入流量または上限維持流量に切り替える上限値切り替え部と、上限値を超えない範囲で薬剤の送液量を調整する調整部と、を有する、送液ポンプ。
2015141563.tif 000002
【特許請求の範囲】
【請求項１】
送液した薬剤の生体内における濃度をシミュレートしながら、前記薬剤を送液する送液ポンプであって、  送液された前記薬剤の量に基づいて、前記薬剤の生体内における濃度を演算する演算部と、  前記演算部により演算された前記薬剤の血中濃度、または、前記薬剤の効果部位濃度が所定の目標濃度に達しているか否かを判定する判定部と、  前記薬剤の上限導入流量と、前記薬剤の上限維持流量と、前記目標濃度と、を記憶する記憶部と、  前記目標濃度の入力を受け付ける受付部と、  前記判定部の判定結果に応じて、前記薬剤の送液量の上限値を前記上限導入流量または前記上限維持流量に切り替える上限値切り替え部と、  前記上限値を超えない範囲で前記薬剤の送液量を調整する調整部と、を有する送液ポンプ。
【請求項２】
前記上限値切り替え部は、前記上限値として前記上限導入流量が設定されている場合において、前記判定部により前記血中濃度または前記効果部位濃度が前記目標濃度に達していると判定された際は、前記上限値を前記上限維持流量に切り替える、請求項１に記載の送液ポンプ。
【請求項３】
前記上限値切り替え部は、前記上限値として前記上限維持流量が設定されている場合において、前記判定部により前記血中濃度または前記効果部位濃度が前記目標濃度に達していないと判定された際は、前記上限値を前記上限導入流量に切り替える、請求項１または請求項２に記載の送液ポンプ。
【請求項４】
前記調整部は、前記上限値を超えず、かつ、前記血中濃度が前記目標濃度に維持されるように前記薬剤の送液量を調整する、請求項１〜３のいずれか１項に記載の送液ポンプ。
【請求項５】
前記調整部は、前記上限値を超えず、かつ、前記効果部位濃度が前記目標濃度に維持されるように前記薬剤の送液量を調整する、請求項１〜３のいずれか１項に記載の送液ポンプ。
【請求項６】
前記受付部は、さらに前記上限導入流量と前記上限維持流量の入力を受け付け、前記上限維持流量が前記上限導入流量を超える入力の受け付けを制限する、請求項１〜５のいずれか１項に記載の送液ポンプ。
【請求項７】
前記受付部は、送液中において前記目標濃度の入力を受け付ける、請求項１〜６のいずれか１項に記載の送液ポンプ。
【請求項８】
前記判定部は、前記血中濃度または前記効果部位濃度が前記目標濃度を基準とする所定の許容範囲の範囲内に含まれるときに、前記血中濃度または前記効果部位濃度が前記目標濃度に達したものと判定する、請求項１〜７のいずれか１項に記載の送液ポンプ。
【請求項９】
前記上限値が切り替えられたことをユーザーに知らせる報知部を有する請求項１〜８のいずれか１項に記載の送液ポンプ。 
【発明の詳細な説明】
【技術分野】
【０００１】  本発明は、薬剤を患者の体内に送液するために医療分野で用いられる送液ポンプに関する。
【背景技術】
【０００２】  集中治療室等の医療現場において、静脈麻酔薬等の薬剤を患者の体内に送液する場合、適用する手技や患者の症状等に応じて、送液量を適切に調節しながら長時間に亘って送液を行う必要がある。設定された送液量で長時間に亘って正確に薬剤を送液する装置として、輸液ポンプやシリンジポンプがある。送液量の設定は、輸液ポンプやシリンジポンプを使用する医療従事者によって行われる。一般的に、薬剤を患者の体内に送液する際の送液量には、薬剤の種類に応じて定められた上限値がある。そして、薬剤の効能が発現されるまでの生体内への導入において許容される送液量の上限値と、生体の特定の部位において薬剤の効能が発現された後に効能を維持するために許容される送液量の上限値は異なる。従って、薬剤を送液する際には、薬剤の効能が発現されているか否かに応じて、薬剤の種類ごとに定められている上限値を超えないように送液量を適切に調節する必要がある。従来、この送液量の調節は、医療従事者によって手動で行われてきた。そのため、薬剤の効能が発現されているか否かに応じた送液量の調節が、必ずしも適切なタイミングで行われないという問題があった。【０００３】  このような問題に対して、近年、送液された薬剤の血中濃度に応じて送液量の調節を自動で行うＴＣＩ（Ｔａｒｇｅｔ  Ｃｏｎｔｒｏｌｌｅｄ  Ｉｎｆｕｓｉｏｎ）と呼ばれる機能を備えたポンプ（以下、ＴＣＩポンプ）が開発されている（例えば、特許文献１参照）。ＴＣＩポンプを使用した薬剤の送液では、送液量の代わりに、目標とする血中濃度を設定する。ＴＣＩポンプは、送液された薬剤の血中濃度が目標濃度に到達して維持されるように送液量を自動で調節する。薬剤の血中濃度は、薬剤の送液量からシミュレーションに基づいて計算される。ＴＣＩポンプを使用することで、手動による送液量の調節を行うことなく、薬剤の血中濃度が目標濃度に維持されるように薬剤を長時間に亘って送液することができる。
【先行技術文献】
【特許文献】
【０００４】
【特許文献１】特表２００８−５４６４３５号
【発明の概要】
【発明が解決しようとする課題】
【０００５】  しかしながら、ＴＣＩポンプを使用した場合、薬剤の種類に応じて定められている送液量の上限値を超えた送液量で送液されてしまう可能性がある。例えば、薬剤の送液開始時において、目標血中濃度が許容される血中濃度よりも高く設定された場合、血中濃度を目標血中濃度に速やかに到達させるために、上限値を超えた送液量で薬剤が送液される可能性がある。ＴＣＩポンプによっては、上限値を超えた送液量での薬剤の送液を防止するために、送液量の上限値を設定可能なものもある。しかし、薬剤の効能が発現されているか否かに応じて送液量の上限値を切り替えて送液する機能は有しておらず、適切な送液量で送液されるとは限らない。また、送液量の上限値が誤って設定されるという問題もあった。【０００６】  そこで、本発明は上記課題を解決するためになされたものであり、薬剤の送液時において、薬剤の種類ごとに定められている所定の上限値を超えない適切な送液量で薬剤を送液することが可能な送液ポンプの提供を目的とする。
【課題を解決するための手段】
【０００７】  上記目的を達成するための送液ポンプは、送液した薬剤の生体内における濃度をシミュレートしながら、前記薬剤を送液する送液ポンプであって、送液された前記薬剤の量に基づいて、前記薬剤の生体内における濃度を演算する演算部と、前記演算部により演算された前記薬剤の血中濃度、または、前記薬剤の効果部位濃度が所定の目標濃度に達しているか否かを判定する判定部と、前記薬剤の上限導入流量と、前記薬剤の上限維持流量と、前記目標濃度と、を記憶する記憶部と、前記目標濃度の入力を受け付ける受付部と、前記判定部の判定結果に応じて、前記薬剤の送液量の上限値を前記上限導入流量または前記上限維持流量に切り替える上限値切り替え部と、前記上限値を超えない範囲で前記薬剤の送液量を調整する調整部と、を有する。
【発明の効果】
【０００８】  本発明によれば、薬剤の送液量に基づいて薬剤の生体内における濃度を演算することができる。そして、演算された薬剤の生体内における濃度が所定の目標濃度に達しているか否かを判定することができる。さらに、薬剤の生体内における濃度が所定の目標濃度に達しているか否かの判定結果に応じて、薬剤の送液量の上限値を切り替えることができる。よって、本発明によれば、薬剤の送液時において、薬剤の種類ごとに薬剤の効能が発現されているか否かに応じて定められている所定の上限値を超えない適切な送液量で薬剤を送液することが可能である。【０００９】  また、上限値として上限導入流量が設定されている場合に、効果部位濃度または血中濃度が目標濃度に達したときに、薬剤を送液する際の送液量の上限値を上限導入流量から上限維持流量に切り替えるように上限値切り替え部を構成できる。当該構成により、生体の特定の部位において薬剤の効能が発現されている状態において、許容される送液量の上限値を超えない送液量で薬剤を送液することができる。【００１０】  また、上限値として上限維持流量が設定されている場合に、目標濃度の変更によって効果部位濃度または血中濃度が目標濃度を満たさなくなったときに、薬剤を送液する際の送液量の上限値を上限維持流量から上限導入流量に切り替えるように上限値切り替え部を構成できる。当該構成により、効果部位濃度または血中濃度を変更された目標濃度に速やかに到達させることができるため、薬剤の効能を速やかに発現させることができる。【００１１】  また、血中濃度を目標濃度に維持するように薬剤を送液する際の送液量を調整するように調整部を構成できる。当該構成により、血中濃度が所定の目標濃度を超えることなく一定に維持されるため安全性が向上する。【００１２】  また、効果部位濃度を目標濃度に維持するように薬剤を送液する際の送液量を調整するように調整部を構成できる。当該構成により、効果部位濃度を目標濃度に速やかに到達させることができるため、薬剤の効能をより速やかに発現させることができる。【００１３】  また、上限導入流量及び上限維持流量を記憶する際に、上限導入流量を超える上限維持流量の入力の受け付けを制限するように受付部を構成できる。当該構成により、上限導入流量を超える上限維持流量が誤って記憶されるのを防ぐことができるため安全性が向上する。【００１４】  また、目標濃度の入力を送液中に受け付けるように受付部を構成できる。当該構成により、状況に応じて目標濃度を変更できるため安全性及び利便性がさらに向上する。【００１５】  また、目標濃度を基準とした所定の許容範囲の範囲内に効果部位濃度または血中濃度が含まれる場合に、送液量の上限値を切り替えるように上限値切り替え部を構成できる。当該構成により、送液量の上限値を切り替えるタイミングを状況に応じて柔軟に設定できるため利便性がさらに向上する。【００１６】  また、薬剤の送液量の上限値が切り替わったことを知らせる報知部を有するように構成できる。当該構成により、薬剤の送液量の上限値が切り替わったことを適時に把握できるため安全性がさらに向上する。
【図面の簡単な説明】
【００１７】
【図１】本発明の第１実施形態に係るシリンジポンプを説明するための概観斜視図である。
【図２】本発明の第１実施形態に係るシリンジポンプを説明するための概観正面図である。
【図３】本発明の第１実施形態に係るシリンジポンプの表示部を説明するための概観正面図である。
【図４】本発明の第１実施形態に係るシリンジポンプの表示部を説明するための概観正面図であって、薬剤が送液される患者の情報を入力する際の表示例を示す図である。
【図５】本発明の第１実施形態に係るシリンジポンプの表示部を説明するための概観正面図であって、送液する薬剤の種類を入力する際の表示例を示す図である。
【図６】本発明の第１実施形態に係るシリンジポンプの表示部を説明するための概観正面図であって、目標濃度を入力する際の表示例を示す図である。
【図７】本発明の第１実施形態に係るシリンジポンプに適用するシリンジを説明するための概観斜視図である。
【図８】本発明の第１実施形態に係るシリンジポンプの電気的な構成を説明するための概略図である。
【図９】本発明の第１実施形態に係るシリンジポンプの制御部の動作を説明するための図であって、送液量の上限値の切り替え及び送液量の調整に関する動作を説明するためのフローチャートである。
【図１０】送液された薬剤の血中濃度及び効果部位濃度の変化を示す図であって、本発明の第１実施形態に係るシリンジポンプを使用して送液した場合の図である。
【図１１】本発明の第１実施形態に係るシリンジポンプの表示部を説明するための外観正面図であって、シリンジポンプを使用して送液をしている際中の図である。
【図１２】本発明の第１実施形態の変形例に係る表示部の表示例を説明するための外観正面図であって、目標濃度と、その許容範囲を入力する際の表示例を示す図である。
【図１３】本発明の第２実施形態に係るシリンジポンプの制御部の動作を説明するための図であって、送液量の上限値の切り替え及び送液量の調整に関する動作を説明するためのフローチャートである。
【図１４】送液された薬剤の血中濃度及び効果部位濃度の変化を示す図であって、本発明の第２実施形態に係るシリンジポンプを使用して送液した場合の図である。
【図１５】本発明の実施形態に係る変形例の表示部の表示例を説明するための外観正面図であって、上限値を切り替える基準として使用する濃度と目標濃度に維持する対象の濃度を選択する際の表示例を示す図である。
【発明を実施するための形態】
【００１８】  ＜第１実施形態＞  以下、図面を参照して、本発明の第１実施形態を説明する。なお、図面の寸法比率は、説明の都合上誇張されており、実際の比率とは異なる場合がある。
【００１９】  図１及び図２に示す本発明の第１実施形態に係るシリンジポンプ１は、例えば、ＩＣＵ、ＣＣＵ、及び、ＮＩＣＵ等の集中治療室等において、長時間に亘って患者の体内に薬剤を送液するために使用される送液ポンプである。
【００２０】  シリンジポンプ１は、静脈麻酔薬等を含む種々の薬剤を患者の体内に送液することができる。適用可能な静脈麻酔薬の例として、プロポフォール、ミタゾラム、及び、レミフェンタニル等がある。
【００２１】  一般的に、薬剤を患者の体内に送液する際の送液量には、薬剤の種類ごとに上限値が定められている。送液量とは流速を意味し、単位には、例えば、ｍｌ／ｋｇ／秒や、ｍｌ／ｋｇ／時などが用いられる。そして、送液された薬剤の効能が発現されるまでの導入における送液量の上限値（以下、上限導入流量）と、薬剤の効能が発現された後において薬剤の効能を維持する送液量の上限値（以下、上限維持流量）は異なる。通常、上限維持流量は、上限導入流量よりも小さい。薬剤の効能が発現されているにも関わらず、上限維持流量を上回る送液量で薬剤を送液するのは危険だからである。薬剤には、薬剤の使用方法や注意事項等を記載した文書（以下、薬剤添付文書）が、薬剤ごとに添付されている。そして、上限導入流量及び上限維持流量は、薬剤添付文書に記載されている。薬剤によって、送液量の上限値という表現ではなく、送液量の適正値などの表現で記載されている場合があるが実質的に同じである。薬剤の送液は、薬剤の効能が発現しているか否かに応じて、上限導入流量又は上限維持流量を超えない適切な送液量で行われなければならない。
【００２２】  そこで、シリンジポンプ１は、薬剤の効能が発現しているか否かに応じて送液量の上限値を薬剤の種類ごとに定められている上限導入流量又は上限維持流量に切り替えて、適切な送液量で薬剤を送液する。
【００２３】  以下に、シリンジポンプ１の装置構成を詳細に説明する。
【００２４】  図１及び図２に示すように、シリンジポンプ１は、薬剤を充填した、薬剤収納容器としてのシリンジ２００のシリンジ押子２０２をＴ方向に押圧して、シリンジ本体２０１内の薬剤を、チューブ２０３と留置針２０４を介して、患者に対して正確に送液する。このとき、シリンジ２００のシリンジ本体２０１は、クランプ５によって動かないようにシリンジポンプ１にセットされている。
【００２５】  シリンジポンプ１は、本体カバー２を有する。
【００２６】  本体カバー２は、耐薬品性を有する成型樹脂材料により一体成型されている。これにより、本体カバー２は防沫処理構造を有する。防沫処理構造により、仮に薬剤等がかかってもシリンジポンプ１の内部に侵入するのを防ぐことができる。防沫処理構造を有するのは、シリンジ本体２０１内の薬剤がこぼれたり、上方に配置されている点滴液がこぼれ落ちたり、周辺で用いる消毒液等が飛散して付着することがあるためである。
【００２７】  図１及び図２に示すように、本体カバー２は、上部分２Ａ及び下部分２Ｂを有する。
【００２８】  上部分２Ａには、表示部３と、操作パネル部４が配置されている。
【００２９】  下部分２Ｂには、シリンジ設定部６と、シリンジ押子２０２を押すためのシリンジ押子駆動部７が配置されている。
【００３０】  表示部３は、カラー表示することができる画像表示装置である。表示部３は、例えば、カラー液晶表示装置により構成することができる。表示部３は、日本語表記による情報表記だけでなく、必要に応じて複数の外国語による情報の表示を行うことができる。表示部３は、本体カバー２の上部分２Ａの左上位置であって、シリンジ設定部６とシリンジ押子駆動部７の上側に配置されている。
【００３１】  操作パネル部４は、本体カバー２の上部分において表示部３の右側に配置されている。操作パネル部４には、電源ＯＮ／ＯＦＦボタン４Ａ、動作インジケータ４Ｆ、及び、操作ボタンが配置されている。図１及び図２には、操作ボタンとして、必要最小限の、早送りスイッチボタン４Ｂ、開始スイッチボタン４Ｃ、停止スイッチボタン４Ｄ、メニュー選択ボタン４Ｅが４ケ配置されている例を示している。
【００３２】  図１及び図２に示すように、シリンジ設定部６とシリンジ押子駆動部７は、Ｘ方向に沿って並べて配置されている。シリンジ設定部６は、図７を用いて後で説明する複数種類の大きさの異なるシリンジ２００，３００，４００を、選択して着脱可能にはめ込んで固定することができる。
【００３３】  図１及び図２に示すように、シリンジ設定部６は、シリンジ本体２０１を収容する収容部８と、クランプ５を有している。収容部８は、シリンジ本体２０１を収容するために、ほぼ断面半円形形状の凹部であり、Ｘ方向に沿って形成されている。収容部８の端部の壁部分には、チューブ２０３を着脱可能に挟み込むためのチューブ固定部９が形成されている。
【００３４】  クランプ５を操作してシリンジ２００をシリンジ設定部６から取り外す際には、クランプ５を図示しないスプリングの力に抗してＹ１方向（手前方向）に引っ張って、しかもＲ１方向に９０度回すことで、シリンジ本体２０１はクランプ５による固定を解除して、収容部８から取り外すことができる。また、クランプ５を操作してシリンジ２００をシリンジ設定部６に取り付ける際には、クランプ５を図示しないスプリングの力に抗してＹ１方向に引っ張ってＲ２方向に９０度回して、スプリングの力によりＹ２方向に戻すことで、シリンジ本体２０１は収容部８に収容してクランプ５により固定することができる。クランプ５により、２．５ｍＬ，５ｍＬ，１０ｍＬ，２０ｍＬ，３０ｍＬ，５０ｍＬの収容量のシリンジを固定することができるように、シリンジ設定部６の収容部８の右端部８Ｅは一部が切欠部となっている。
【００３５】  シリンジ本体２０１が収容部８内に収容されて固定されると、シリンジ押子２０２がシリンジ押子駆動部７内に配置される。このシリンジ押子駆動部７は、スライダ１０を有している。このスライダ１０は、図２及び図８に示す制御部１００からの指令により、シリンジ押子２０２の押子フランジ２０５を、シリンジ本体２０１に対して相対的にＴ方向に沿って少しずつ押す。
【００３６】  なお、図１及び図２におけるＸ方向、Ｙ方向、Ｚ方向は互いに直交しており、Ｚ方向は上下方向である。
【００３７】  図３は、表示部３の表示内容例を示す。この表示部３の表示例は、一例であるので、特に限定されない。
【００３８】  図７は、上述した複数種類の大きさのシリンジの例を示す斜視図である。
【００３９】  図１及び図２では、最も薬剤の収容量が大きいシリンジ２００が固定されている例を示している。
【００４０】  図７（Ａ）に示すように、最も薬剤の収容量が大きいシリンジ２００は、シリンジ本体２０１と、シリンジ押子２０２を有しており、シリンジ本体２０１は本体フランジ２０９を有し、シリンジ押子２０２は押子フランジ２０５を有している。シリンジ本体２０１には、薬剤の目盛２１０が形成されている。シリンジ本体２０１の出口部２１１には、フレキシブルなチューブ２０３の一端部が着脱可能に接続される。
【００４１】  図７（Ｂ）に示すように、薬剤の収容量が中くらいのシリンジ３００は、シリンジ本体３０１と、シリンジ押子３０２を有しており、シリンジ本体３０１は本体フランジ３０９を有し、シリンジ押子３０２は押子フランジ３０５を有している。シリンジ本体３０１には、薬剤の目盛３１０が形成されている。シリンジ本体３０１の出口部３１１には、フレキシブルなチューブ２０３の一端部が着脱可能に接続される。
【００４２】  図７（Ｃ）に示すように、最も薬剤の収容量が小さいシリンジ４００は、シリンジ本体４０１と、シリンジ押子４０２を有しており、シリンジ本体４０１は本体フランジ４０９を有し、シリンジ押子４０２は押子フランジ４０５を有している。シリンジ本体４０１には、薬剤の目盛４１０が形成されている。シリンジ本体４０１の出口部４１１には、フレキシブルなチューブ２０３の一端部が着脱可能に接続される。
【００４３】  図７（Ａ）に示すシリンジ２００は、例えば薬剤の収容量が５０ｍＬであり、図７（Ｂ）に示すシリンジ３００は、例えば薬剤の収容量が１０ｍＬ、２０ｍＬ、３０ｍＬであり、図７（Ｃ）に示すシリンジ４００は、例えば薬剤の収容量が２．５ｍＬ、５ｍＬである。シリンジ３００，４００は、図１及び図２に示すシリンジ２００と同様にして、収容部８内に収容して固定して用いることができる。
【００４４】  次に、図８を参照して、図１及び図２に示すシリンジポンプ１の電気的な構成例を詳細に説明する。
【００４５】  図８において、シリンジポンプ１は、全体的な動作の判断、制御を行う制御部（コンピュータ）１００を有している。この制御部１００は、例えばワンチップのマイクロコンピュータであり、ＲＯＭ（読み出し専用メモリ）１０１，ＲＡＭ（ランダムアクセスメモリ）１０２、不揮発性メモリ１０３、そしてクロック１０４を有する。
【００４６】  クロック１０４は、所定の操作により現在時刻の修正ができ、現在時刻の取得や、所定の送液作業の経過時間の計測、送液の速度制御の基準時間の計測等ができる。
【００４７】  図８に示す制御部１００は、電源ＯＮ／ＯＦＦボタン４Ａと、スイッチ１１１が接続されている。
【００４８】  スイッチ１１１は、電源コンバータ部１１２と例えばリチウムイオン電池のような充電池１１３を切り換えることで、電源コンバータ部１１２と充電池１１３のいずれかから制御部１００に電源供給する。
【００４９】  電源コンバータ部１１２は、コンセント１１４を介して商用交流電源１１５に接続されている。
【００５０】  図８において、収容部８内には、一対の検出スイッチ１２０，１２１が配置されている。検出スイッチ１２０，１２１は、シリンジ２００のシリンジ本体２０１が、収容部８に正しく配置されているかどうかを検知して、制御部１００に通知する。
【００５１】  クランプセンサ１２２は、クランプ５の位置状態を検知することで、シリンジ本体２０１がクランプ５により確実にクランプされているかどうかを、制御部１００に通知する。
【００５２】  シリンジ押子駆動部７のモータ１３３は、制御部１００の指令によりモータドライバ１３４により駆動されると、送りネジ１３５を回転させてスライダ１０をＴ方向に移動させる。これにより、スライダ１０は、シリンジ押子２０２をＴ方向に押圧して、図２に示すシリンジ本体２０１内の薬剤を、チューブ２０３を通じて患者Ｐに対して留置針２０４を介して正確に送液する。
【００５３】  図８において、早送りスイッチボタン４Ｂ、開始スイッチボタン４Ｃ、停止スイッチボタン４Ｄ、メニュー選択ボタン４Ｅは、制御部１００に電気的に接続されている。開始スイッチボタン４Ｃが押下されると送液開始の制御信号が制御部１００に入力される。また、停止スイッチボタン４Ｄが押下されると送液停止の制御信号が制御部１００に入力される。
【００５４】  図８において、表示部ドライバ１３０は、制御部１００に電気的に接続されている。表示部ドライバ１３０は、制御部１００の指令により表示部３を駆動して種々の情報を表示部３に表示する。
【００５５】  図８において、スピーカ１３１は、制御部１００に電気的に接続されている。スピーカ１３１は、制御部１００の指令により各種の警報内容を音声により告知する。
【００５６】  制御部１００は、送液開始からそれまでに生体内に送液された薬剤の量に基づいて、薬剤の生体内における濃度を演算する演算部としての機能を有する。
【００５７】  送液開始から生体内に送液された薬剤の量は、例えば、シリンジ２００のシリンジ本体２０１の内径と、送りネジ１３５によってＴ方向に移動されるスライダ１０の送液開始からの移動量とを掛け合わせることで計算できる。
【００５８】  薬剤の生体内における濃度は、シミュレーションによって演算される。
【００５９】  シミュレーションは、薬物動態学に基づいて３−コンパートメントモデルを用いて行われるが、これに限定されない。
【００６０】  ３−コンパートメントモデルを用いたシミュレーションは、体内を３つの部分（以下、コンパートメント）に分けて濃度の計算を行う。３つのコンパートメントのうちの１つは、血液をモデル化したコンパートメントである。他の２つのコンパートメントは、生体内における筋肉などの血流が豊富な組織と脂肪などの血流が粗な組織をそれぞれモデル化したものである。薬剤は、血液をモデル化したコンパートメントに投与される。そして、血液をモデル化したコンパートメントと、他の２つのコンパートメントとの間で、薬物が所定の移行速度で移動する。また、薬剤は、血液をモデル化したコンパートメントを介して所定の排泄速度で体外に排泄される。薬剤が送液される患者の情報と、送液された薬剤の量、移行速度、及び、排泄速度等の関係から、血中濃度を含む各コンパートメントにおける送液された薬剤の濃度を計算することができる。コンパートメントに、薬剤が適用される部位をモデル化したコンパートメントを含めることで、薬剤が適用される部位の濃度である効果部位濃度を演算することもできる。たとえば、効果部位として、鎮静薬(プロポフォールなど)の場合は脳、筋弛緩薬(ミタゾラムなど)の場合は神経筋接合部が考えられる。送液量は、このように計算された薬剤の血中濃度または効果部位濃度と設定された目標濃度との差分に基づいて計算され、上限値を超えた場合には、送液量は上限値に設定される。
【００６１】  不揮発性メモリ１０３は、上限導入流量及び上限維持流量を薬剤の種類ごとに記憶する。また、不揮発性メモリ１０３は、目標濃度を記憶する。目標濃度は、例えば、ｍｃｇ／ｍｌ単位で記憶する。また、不揮発性メモリ１０３は、送液される患者の情報、及び、送液する薬剤の種類を記憶する。記憶する患者の情報は、例えば、性別、年齢、身長、及び、体重などである。さらに、不揮発性メモリ１０３は、後述するように制御部１００によって切り替えられる送液量の上限値を記憶する。
【００６２】  制御部１００は、不揮発性メモリ１０３に記憶する上限導入流量、上限維持流量、目標濃度、患者の情報、及び、送液する薬剤の種類といった情報の入力を受け付ける受付部としての機能を有する。
【００６３】  制御部１００は、入力を受け付けた情報を、不揮発性メモリ１０３に記憶する。
【００６４】  制御部１００は、薬剤の送液中においても入力を受け付ける。よって、不揮発性メモリ１０３に記憶された目標濃度は、薬剤の送液中において変更されることが可能である。
【００６５】  制御部１００は、入力された上限導入流量及び上限維持流量をチェックして、不正な入力の受け付けを制限する。具体的には、制御部１００は、上限導入流量と上限維持流量の大小関係をチェックする。そして、上限維持流量が上限導入流量を上回る場合には、入力された上限導入流量及び上限維持流量を不揮発性メモリ１０３に記憶しない。
【００６６】  制御部１００への上限導入流量及び上限維持流量に関する情報の入力は、種々の方法で行うことができる。
【００６７】  例えば、制御部１００に接続された操作パネル部４の操作ボタンを操作することで、薬剤の種類ごとに上限導入流量及び上限維持流量を入力することができる。
【００６８】  また、通信ポート１４０を介して入力することもできる。例えば、図８に示すように、通信ポート１４０を介してデスクトップコンピュータのようなコンピュータ１４１と制御部１００を接続する。そして、コンピュータ１４１を操作することで、上限導入流量及び上限維持流量を、薬剤の種類ごとに通信ポート１４０を介して制御部１００に入力することができる。
【００６９】  この場合、図８に示すように、コンピュータ１４１を薬剤データベース１５０に接続してもよい。薬剤データベース１５０には、上限導入流量及び上限維持流量を薬剤の種類ごとに薬剤ライブラリとしてまとめて保存しておくことができる。コンピュータ１４１を操作することで、薬剤データベース１５０に薬剤の種類ごとに保存された上限導入流量及び上限維持流量を、通信ポート１４０を介して制御部１００に入力することができる。薬剤ライブラリは、上限導入流量及び上限維持流量以外の薬剤に関する情報を記録していてもよい。例えば、薬剤メーカー、及び、禁忌情報などを薬剤の種類ごとに記録していてもよい。それらの情報も、上限導入流量及び上限維持流量とともに、通信ポート１４０を介して制御部１００に入力することができる。薬剤ライブラリは、病院全体や病棟ごとにまとめて生成して、薬剤データベース１５０に保存しておくことができる。
【００７０】  送液される患者の情報、送液する薬剤の種類、及び、目標濃度は、表示部３の表示内容に従って操作パネル部４の操作ボタンを操作することで制御部１００に入力することができる。
【００７１】  図４（Ａ）（Ｂ）は、送液される患者の情報を入力する際の表示部３の表示内容例を示す。図４に示した表示内容例に従って操作パネル部４の操作ボタンを操作することで、送液される患者の性別、年齢、身長、及び、体重といった情報を入力することができる。
【００７２】  図５は、送液する薬剤の種類を入力する際の表示部３の表示内容例を示す。図５に示した表示内容例に従って操作パネル部４の操作ボタンを操作することで、送液する薬剤の種類を入力することができる。
【００７３】  図６は、目標濃度を入力する際の表示部３の表示内容例を示す。図６に示した表示内容例に従って操作パネル部４の操作ボタンを操作することで、目標濃度を入力することができる。
【００７４】  制御部１００は、開始スイッチボタン４Ｃが押下されて送液開始の制御信号が入力されると送液を開始する。また、制御部１００は、停止スイッチボタン４Ｄが押下されて送液停止の制御信号が入力されると送液を停止する。
【００７５】  制御部１００は、送液された薬剤の効果部位濃度が目標濃度に達しているか否かの判定を行う判定部としての機能、送液量の上限値の切り替えを行う上限値切り替え部としての機能、及び、送液量の調整を行う調整部としての機能を有する。図９に示すフローチャートを参照して、以下にそれらの動作を詳細に説明する。
【００７６】  まず、ステップＳ１０１で、不揮発性メモリ１０３に記憶されている送液する薬剤の種類に応じて、不揮発性メモリ１０３に記憶されている上限導入流量を薬剤の送液量の上限値として不揮発性メモリ１０３に記憶する。
【００７７】  次に、ステップＳ１０２で、送液終了条件を満たすか否かを判定する。送液終了条件が満たされた場合には、送液を終了する。少なくとも、停止スイッチボタン４Ｄが押下されて送液終了の制御信号の入力を受け付けた場合には、送液終了条件が満たされる。
【００７８】  次に、ステップＳ１０３で、不揮発性メモリ１０３に記憶された上限値を超えず、かつ、送液後の薬剤の血中濃度が、不揮発性メモリ１０３に記憶されている目標濃度に維持される送液量で送液を行う。送液後の薬剤の血中濃度は、送液される薬剤の量と、不揮発性メモリ１０３に記憶されている患者の情報及び送液する薬剤の種類などに基づいて、シミュレーションにより演算することができる。薬剤の送液は、スライダ１０がシリンジ押子２０２をＴ方向に押圧することで行われる（図１及び図２参照）。スライダ１０は、シリンジ押子駆動部７のモータドライバ１３４を駆動することによって移動される（図８参照）。
【００７９】  次に、ステップＳ１０４で、ステップＳ１０３で送液された薬剤の量と、不揮発性メモリ１０３に記憶されている患者の情報及び送液する薬剤の種類などに基づいて、送液された薬剤の効果部位濃度をシミュレーションにより演算する。
【００８０】  次に、ステップＳ１０５で、ステップＳ１０４で演算された効果部位濃度が、不揮発性メモリ１０３に記憶されている目標濃度に達しているか否かを判定する。目標濃度に達していないと判定された場合は、ステップＳ１０２に戻る。目標濃度に達していると判定された場合は、ステップＳ１０６に進む。
【００８１】  ステップＳ１０６で、送液量の上限値を上限導入流量から上限維持流量に切り替える。上限値の切り替えは、不揮発性メモリ１０３に記憶されている上限値を書き換えることで行われる。すなわち、不揮発性メモリ１０３に記憶されている送液する薬剤の種類に応じて、不揮発性メモリ１０３に記憶されている上限維持流量を薬剤の送液量の上限値として不揮発性メモリ１０３に記憶することで上限値の切り替えを行う。
【００８２】  制御部１００は、上限値の切り替え後、上限値が切り替えられたことを報知する。報知する方法は種々の方法が考えられる。例えば、スピーカ１３１に指令を出してブザー音を発することにより、上限値が切り替えられたことを報知することができる。また、表示部ドライバ１３０に指令を出して、上限値が切り替えられたことを示すテキストや映像などを表示部３に表示して報知することもできる。
【００８３】  次に、ステップＳ１０７で、ステップＳ１０２と同様に、送液終了条件を満たすか否かを判定する。送液終了条件が満たされた場合には、送液を終了する。
【００８４】  次に、ステップＳ１０８で、不揮発性メモリ１０３に記憶された上限値を超えず、かつ、送液後の薬剤の血中濃度が、不揮発性メモリ１０３に記憶されている目標濃度に維持される送液量で送液を行う。送液後の薬剤の血中濃度は、ステップＳ１０４と同様にシミュレーションにより演算することができる。また、薬剤の送液は、ステップＳ１０４と同様にシリンジ押子２０２を押圧することで行われる。
【００８５】  次に、ステップＳ１０９で、ステップＳ１０８で送液された薬剤の量と、不揮発性メモリ１０３に記憶されている患者の情報及び送液する薬剤の種類などに基づいて、送液された薬剤の効果部位濃度をシミュレーションにより演算する。
【００８６】  次に、ステップＳ１１０で、ステップＳ１０９で演算された効果部位濃度が、不揮発性メモリ１０３に記憶されている目標濃度に達しているか否かを判定する。目標濃度に達していると判定された場合は、ステップＳ１０７に戻る。目標濃度に達していないと判定された場合は、ステップＳ１１１に進む。
【００８７】  ステップＳ１１１で、送液量の上限値を上限維持流量から上限導入流量に切り替える。すなわち、不揮発性メモリ１０３に記憶されている送液する薬剤の種類に応じて、不揮発性メモリ１０３に記憶されている上限導入流量を薬剤の送液量の上限値として不揮発性メモリ１０３に記憶する。制御部１００は、上限値の切り替え後、上限値が切り替えられたことを報知し、ステップＳ１０２に戻る。
【００８８】  以降、上述したステップを繰り返し、送液終了条件が満たされるまで送液を行う。
【００８９】  図１０は、シリンジポンプ１を使用して薬剤を送液した際の生体内における薬剤の濃度の変化の例を示すグラフである。ｄ０は血中濃度を示し、ｄ１は効果部位濃度を示し、Ｄ１は目標濃度を示す。Ｔ０は送液開始時刻を示し、Ｔ１は血中濃度が目標濃度Ｄ１に達した時刻を示し、Ｔ２は効果部位濃度が目標濃度Ｄ１に達した時刻を示す。
【００９０】  シリンジポンプ１は、時刻Ｔ０において上限導入流量を送液量の上限値として薬剤の送液を開始する。送液開始後、時刻Ｔ１において、血中濃度ｄ０が目標濃度Ｄ１に達する。時刻Ｔ１以降、血中濃度ｄ０は目標濃度に維持される。さらに、送液を続けると、効果部位濃度ｄ１が目標濃度Ｄ１に達する。このとき、送液量の上限値が、上限導入流量から上限維持流量に切り替えられる。
【００９１】  図１１（Ａ）〜（Ｃ）は、薬剤を送液している際中の表示部３の表示内容の遷移の例を示した図である。図１１（Ａ）は、送液開始直後の表示部３の表示例を示す。図１１（Ｂ）は、効果部位濃度ｄ１が目標濃度に達したときの表示部３の表示例を示す。図１１（Ｃ）は、効果部位濃度ｄ１が目標濃度に達した後の表示部３の表示例を示す。
【００９２】  図１１に示すように、表示部３は、薬剤を送液している際中において、シミュレーションに基づいて計算される薬剤の血中濃度ｄ０の予測線及び効果部位濃度ｄ１の予測線を表示する。軸Ｔは時刻を示し、軸Ｄは濃度を示す。黒色で塗りつぶされた領域ｄ１´は、送液開始から現時点までの効果部位濃度ｄ１の遷移の履歴を表している。
【００９３】  次に、シリンジポンプ１の使用例を説明する。
【００９４】  まず、図８に示すように、通信ポート１４０を介して、制御部１００とコンピュータ１４１を接続する。
【００９５】  次に、コンピュータ１４１を操作して、薬剤データベース１５０に保存されている薬剤ライブラリの情報を、通信ポート１４０を介して制御部１００に入力する。この操作によって、薬剤ライブラリに記録されている上限導入流量及び上限維持流量が、不揮発性メモリ１０３に薬剤の種類ごとに記憶される。
【００９６】  次に、図１及び図２に示すように、シリンジ２００を、シリンジポンプ１にセットする。シリンジポンプ１のセットは、クランプ５を使用して上述した方法で行う。そして、患者にチューブ２０３が接続された留置針２０４を挿入する。
【００９７】  次に、図４〜図６に示すように、表示部３と操作パネル部４を使用して各種情報の入力を行う。まず、患者の情報として、性別、年齢、身長、及び、体重を入力する。次に、送液する薬剤の種類を入力する。そして、目標濃度を入力する。
【００９８】  次に、開始スイッチボタン４Ｃを押下して、患者の体内への薬剤の送液を開始する。送液量の上限値の切り替え及び送液量の調整は、図９に示したフローチャートに従って制御部１００によって行われる。送液は、上述した送液終了条件が満たされるまで行われる。
【００９９】  送液量の上限値が切り替わった際に、スピーカ１３１によって、上限値が切り替えられたことを知らせるブザー音が発せられる。
【０１００】  また、目標濃度を送液中に変更することができる。すなわち、効果部位濃度が目標濃度に達しているにも関わらず、薬剤の効能の発現が認められない場合において、目標濃度を変更することができる。あるいは、効果部位濃度が目標濃度に達する前に薬剤の効能の発現が認められる場合に、目標濃度を変更してもよい。目標濃度は、上述したように、表示部３の表示に従って操作パネル部４を操作することで変更することができる。
【０１０１】  本実施形態によれば、薬剤の送液量に基づいて薬剤の生体内における濃度を演算することができる。そして、演算された薬剤の生体内における濃度が所定の目標濃度に達しているか否かを判定することができる。さらに、薬剤の生体内における濃度が所定の目標濃度に達しているか否かの判定結果に応じて、薬剤の送液量の上限値を切り替えることができる。よって、本実施形態によれば、薬剤の送液時において、薬剤の種類ごとに定められている所定の上限値を超えない適切な送液量で薬剤を送液することが可能である。
【０１０２】  また、本実施形態によれば、上限値として上限導入流量が設定されている場合に、シミュレーションによって演算された効果部位濃度が目標濃度に達したときに、薬剤を送液する際の送液量の上限値を上限導入流量から上限維持流量に切り替えることができる。これにより、生体の特定の部位において薬剤の効能が発現されている状態において、上限維持流量を超えない送液量で薬剤を送液することができる。
【０１０３】  また、本実施形態によれば、上限値として上限維持流量が設定されている場合に、目標濃度の変更によって効果部位濃度が目標濃度を満たさなくなったときに、薬剤を送液する際の送液量の上限値を上限維持流量から上限導入流量に切り替えることができる。これにより、効果部位濃度または血中濃度を変更された目標濃度に速やかに到達させることができるため、薬剤の効能を速やかに発現させることができる。
【０１０４】  また、本実施形態によれば、血中濃度を目標濃度に維持するように薬剤を送液する際の送液量を調整することができる。これにより、血中濃度が所定の目標濃度を超えることなく一定に維持されるため安全性が向上する。
【０１０５】  また、本実施形態によれば、上限導入流量及び上限維持流量を記憶する際に、上限導入流量を超える上限維持流量の入力の受け付けを制限する。これにより、上限導入流量を超える上限維持流量が誤って記憶されるのを防ぐことができるため安全性が向上する。
【０１０６】  また、本実施形態によれば、目標濃度の入力を送液中に受け付けることができる。これにより、状況に応じて目標濃度を変更できるため安全性及び利便性がさらに向上する。
【０１０７】  また、本実施形態によれば、薬剤の送液量の上限値が切り替わったことを知らせることができる。これにより、薬剤の送液量の上限値が切り替わったことを適時に把握できるため安全性がさらに向上する。
【０１０８】  ＜変形例＞  上述した実施形態では、制御部１００は、シミュレーションされた効果部位濃度が目標濃度に達しているか否かに応じて上限値を切り替えたが、上限値を切り替える効果部位濃度を目標濃度と異ならせてもよい。本変形例では、効果部位濃度が目標濃度を基準とする所定の許容範囲の範囲内に含まれるか否かに応じて上限値を切り替えるシリンジポンプについて説明する。
【０１０９】  本変形例に係るシリンジポンプの制御部１００は、例えば、目標濃度が３．００ｍｃｇ／ｍｌ、許容範囲が±５．００％の場合、効果部位濃度が（３．００−３．００×０．０５）ｍｃｇ／ｍｌ以上、（３．００＋３．００×０．０５）ｍｃｇ／ｍｌ未満の範囲内に含まれるか否かに応じて送液量の上限値を切り替える。
【０１１０】  許容範囲は、目標濃度と同様に、表示部３の表示内容に従って操作パネル部４の操作ボタンを操作することで制御部１００に入力することができる。入力された許容範囲は、不揮発性メモリ１０３に記憶される。
【０１１１】  図１２は、目標濃度と合わせて許容範囲を入力する場合の表示部３の表示例を示す。図１２では、１例として、目標濃度として３．００ｍｃｇ／ｍｌを入力、許容範囲として±５．００％を入力する場合を示している。
【０１１２】  制御部１００を上述したように構成することにより、目標濃度を基準とした許容範囲の範囲内に効果部位濃度が含まれる場合に、送液量の上限値を切り替えることができる。これにより、送液量の上限値を切り替えるタイミングを状況に応じて柔軟に設定できるため利便性がさらに向上する。
【０１１３】  なお、上述した実施形態及び変形例では、制御部１００は、シミュレーションされた効果部位濃度が目標濃度に達したときに上限値を切り替えたが、これに限定されない。例えば、シミュレーションされた血中濃度が目標濃度に達したときに上限値を切り替えるように制御部１００を構成してもよい。このように制御部１００を構成することにより、適用する手技や薬剤の種類などに応じて、より適切に送液量を調整しながら薬剤を送液できる。
【０１１４】  ＜第２実施形態＞  次に、本発明の第２実施形態に係るシリンジポンプを説明する。
【０１１５】  第２実施形態に係るシリンジポンプは、制御部が行う送液量の上限値の切り替え、及び、送液量の調整に関する動作が、第１実施形態に係るシリンジポンプの制御部１００の動作と異なる。第１実施形態に係るシリンジポンプ１の制御部１００は、血中濃度が目標濃度に維持されるように送液量を調整していた。一方、第２実施形態に係るシリンジポンプの制御部は、効果部位濃度が目標濃度に維持されるように送液量を調整する点が制御部１００と相違する。制御部以外の本体カバー２、表示部３、及び、操作パネル部４等の構成は第１実施形態と同じであるため、説明を省略する。また、第２実施形態に係るシリンジポンプの制御部の動作のうち、モータドライバ１３４の駆動や目標濃度等の入力の受け付けなどの動作は、第１実施形態と同じであるため説明を省略する。
【０１１６】  図１３は、第２実施形態に係るシリンジポンプの制御部が行う送液量の上限値の切り替え、及び、送液量の調整に関する動作を説明するフローチャートである。
【０１１７】  図１３に示す第２実施形態に係るシリンジポンプの制御部の動作の一部は、第１実施形態に係るシリンジポンプ１の制御部１００の動作の一部と同じである。具体的には、上限導入流量を設定するステップＳ２０１は、ステップＳ１０１と同じである。また、送液終了条件を満たすか否かを判定するステップＳ２０２及びステップＳ２０７は、ステップＳ１０２及びＳ１０７と同じである。また、上限値を切り替えるステップＳ２０６及びＳ２１１は、ステップＳ１０６及びステップＳ１１１と同じである。これらのステップについては説明を省略して、相違するステップのみを以下に説明する。
【０１１８】  まず、ステップＳ２０３では、不揮発性メモリ１０３に記憶された上限値を超えず、かつ、送液後の薬剤の効果部位濃度が、不揮発性メモリ１０３に記憶されている目標濃度に維持される送液量で送液を行う。送液後の薬剤の効果部位濃度は、送液される薬剤の量と、不揮発性メモリ１０３に記憶されている患者の情報及び送液する薬剤の種類などに基づいて、シミュレーションにより演算することができる。薬剤の送液は、ステップＳ１０３と同様にシリンジ押子２０２を押圧することで行われる。
【０１１９】  ステップＳ２０４では、ステップＳ２０３で送液された薬剤の量と、不揮発性メモリ１０３に記憶されている患者情報などに基づいて、送液された薬剤の効果部位濃度をシミュレーションにより演算する。
【０１２０】  ステップＳ２０５では、ステップＳ２０４で演算された効果部位濃度が、不揮発性メモリ１０３に記憶されている目標濃度に達しているか否かを判断する。目標濃度に達していないと判定された場合は、ステップＳ２０２に戻る。目標濃度に達していると判定された場合は、ステップＳ２０６に進む。
【０１２１】  ステップＳ２０８では、不揮発性メモリ１０３に記憶された上限値を超えず、かつ、送液後の薬剤の効果部位濃度が、不揮発性メモリ１０３に記憶されている目標濃度に維持される送液量で送液を行う。送液後の薬剤の効果部位濃度は、ステップＳ２０４と同様にシミュレーションにより演算することができる。薬剤の送液は、ステップＳ１０３と同様にシリンジ押子２０２を押圧することで行われる。
【０１２２】  ステップＳ２０９では、ステップＳ２０８で送液された薬剤の量と、不揮発性メモリ１０３に記憶されている患者情報などに基づいて、送液された薬剤の効果部位濃度をシミュレーションにより演算する。
【０１２３】  ステップＳ２１０では、ステップＳ２０９で演算された効果部位濃度が、不揮発性メモリ１０３に記憶されている目標濃度に達しているか否かを判定する。目標濃度に達していると判定された場合は、ステップＳ２０７に戻る。目標濃度に達していないと判定された場合は、ステップＳ２１１に進む。
【０１２４】  図１４は、第２実施形態に係るシリンジポンプを使用して薬剤を送液した際の生体内における薬剤の濃度の変化の例を示すグラフである。ｄ０は血中濃度を示し、ｄ１は効果部位濃度を示し、Ｄ１は目標濃度を示す。Ｔ０は送液開始時刻を示し、Ｔ１は血中濃度が目標濃度Ｄ１に達した時刻を示し、Ｔ２は効果部位濃度が目標濃度Ｄ１に達した時刻を示す。
【０１２５】  第２実施形態に係るシリンジポンプは、時刻Ｔ０において上限導入流量を送液量の上限値として薬剤の送液を開始する。送液開始後、時刻Ｔ１において、血中濃度ｄ０が目標濃度Ｄ１に達する。さらに、送液を続けると、効果部位濃度ｄ１が目標濃度Ｄ１に達する。このとき、送液量の上限値が、上限導入流量から上限維持流量に切り替えられる。時刻Ｔ２以降、効果部位濃度は目標濃度に維持される。
【０１２６】  第１実施形態の場合と異なり、時刻Ｔ１から時刻Ｔ２の間において、血中濃度ｄ０は目標濃度に維持されない。第１実施形態では血中濃度を目標濃度に維持するように送液量を調整していたが、第２実施形態では効果部位濃度ｄ１を目標濃度に維持するように送液量を調整するためである。その結果、時刻Ｔ１から時刻Ｔ２の間における送液量は、第１実施形態の場合よりも第２実施形態の場合の方が相対的に大きくなる。従って、効果部位濃度が目標濃度に達するまでに要する時間を、第１実施形態と比較して相対的に短くすることができる。
【０１２７】  本実施形態によれば、効果部位濃度が目標濃度に維持されるように薬剤を送液する際の送液量が調整される。これにより、効果部位濃度を目標濃度に速やかに到達させることができるため、薬剤の効能をより速やかに発現させることができる。
【０１２８】  なお、上述した第２実施形態では、制御部は、シミュレーションされた効果部位濃度が目標濃度に達したときに上限値を切り替えたが、これに限定されない。例えば、シミュレーションされた血中濃度が目標濃度に達したときに上限値を切り替えるように第２実施形態に係るシリンジポンプの制御部を構成してもよい。このように第２実施形態に係るシリンジポンプの制御部を構成することにより、適用する手技や薬剤の種類などに応じて、より適切に送液量を調整しながら薬剤を送液できる。
【０１２９】  ＜第３実施形態＞  次に、本発明の第３実施形態に係るシリンジポンプを説明する。
【０１３０】  第３実施形態に係るシリンジポンプは、制御部が行う送液量の上限値の切り替え、及び、送液量の調整に関する動作が、第１実施形態及びその変形例に係るシリンジポンプの制御部１００、及び、第２実施形態に係るシリンジポンプの制御部の動作と異なる。第１実施形態及びその変形例に係るシリンジポンプの制御部１００、及び、第２実施形態に係るシリンジポンプの制御部では、送液量の上限値を切り替える基準とする濃度と目標濃度に維持する対象の濃度は既定されていた。一方、第３実施形態に係るシリンジポンプの制御部は、送液量の上限値を切り替える基準とする濃度と目標濃度に維持する対象の濃度を指定できる点が、第１実施形態及びその変形例に係るシリンジポンプの制御部１００、及び、第２実施形態に係るシリンジポンプの制御部と異なる。
【０１３１】  制御部以外の本体カバー２、表示部３、及び、操作パネル部４等の構成は第１実施形態と同じであるため説明を省略する。また、第３実施形態に係るシリンジポンプの制御部の動作のうち、モータドライバ１３４の駆動や目標濃度等の入力の受け付けなどの動作は、第１実施形態と同じであるため説明を省略する。
【０１３２】  以下に、第３実施形態に係るシリンジポンプの制御部が行う送液量の上限値の切り替え、及び、送液量の調整に関する動作を説明する。ただし、送液条件を満たすか否かの判定をする動作や、上限値を超えない送液量で送液する動作などは、第１実施形態及びその変形例に係るシリンジポンプの制御部１００、及び、第２実施形態に係るシリンジポンプの制御部における動作と同じであるため説明を省略する。
【０１３３】  第３実施形態に係るシリンジポンプの制御部は、送液量の上限値の切り替えの基準とする濃度として指定された濃度が目標濃度に達しているか否かによって、送液量の上限値を切り替える。
【０１３４】  具体的には、第３実施形態に係るシリンジポンプの制御部は、送液量の上限値の切り替えの基準とする濃度として効果部位濃度が指定された場合、シミュレーションされた効果部位濃度が目標濃度に達しているか否かに応じて送液量の上限値を切り替える。また、第３実施形態に係るシリンジポンプの制御部は、送液量の上限値の切り替えの基準とする濃度として血中濃度が指定された場合、シミュレーションされた血中濃度が目標濃度に達しているか否かに応じて送液量の上限値を切り替える。
【０１３５】  また、第３実施形態に係るシリンジポンプの制御部は、目標濃度に維持する対象として指定された濃度を目標濃度に維持するように送液量を調整する。
【０１３６】  具体的には、第３実施形態に係るシリンジポンプの制御部は、目標濃度に維持する対象として効果部位濃度が指定された場合、シミュレーションされた効果部位濃度が目標濃度に維持されるように送液量を調整する。また、第３実施形態に係るシリンジポンプの制御部は、目標濃度に維持する対象として血中濃度が指定された場合、シミュレーションされた血中濃度が目標濃度に維持されるように送液量を調整する。
【０１３７】  送液量の上限値の切り替えの基準とする濃度と目標濃度に維持する対象の濃度は、種々の方法で制御部１００に指定することができる。
【０１３８】  例えば、図１５（Ａ）（Ｂ）に示す表示部３の表示内容例に従って、操作パネル部４の操作ボタンを操作することで、送液量の上限値の切り替えの基準とする濃度と、目標濃度に維持する対象の濃度を制御部１００に指定することができる。
【０１３９】  本実施形態によれば、適用する手技や薬剤の種類などに応じて、送液量の上限値を切り替えるタイミングと目標濃度に維持する濃度を適切に設定することが容易になるため安全性や利便性がさらに向上する。
【０１４０】  以上、本願発明に係るシリンジポンプを実施形態及び各変形例を通じて説明したが、本願発明に係るシリンジポンプはこれらの構成のみに限定されるものではなく、特許請求の範囲の記載に基づいて種々改変することが可能である。
【０１４１】  上述した実施形態及び変形例では、シリンジポンプに本願発明を適用した場合を説明したが、それに限定されない。本願発明は、薬剤の送液量を調整可能な輸液ポンプなどの医療用の送液ポンプに広く適用することが可能である。
【０１４２】  本出願は、２０１４年３月２０日に出願された日本特許出願番号２０１４−０５８５９６号に基づいており、その開示内容は、参照され、全体として、組み入れられている。
【符号の説明】
【０１４３】１  シリンジポンプ、２  本体カバー、２Ａ  本体カバーの上部分、２Ｂ  本体カバーの下部分、３  表示部、４  操作パネル部、５  クランプ、６  シリンジ設定部、７  シリンジ押子駆動部、８  収容部、９  チューブ固定部、１００  制御部、１０３  不揮発性メモリ、２００、３００、４００  シリンジ、２０１、３０１、４０１  シリンジ本体、２０２、３０２、４０２  シリンジ押子。
【図１】
2015141563.tif 000003
【図２】
2015141563.tif 000004
【図３】
2015141563.tif 000005
【図４】
2015141563.tif 000006
【図５】
2015141563.tif 000007
【図６】
2015141563.tif 000008
【図７】
2015141563.tif 000009
【図８】
2015141563.tif 000010
【図９】
2015141563.tif 000011
【図１０】
2015141563.tif 000012
【図１１】
2015141563.tif 000013
【図１２】
2015141563.tif 000014
【図１３】
2015141563.tif 000015
【図１４】
2015141563.tif 000016
【図１５】
2015141563.tif 000017
【国際調査報告】
2015141563.tif 000018
2015141563.tif 000019
2015141563.tif 000020
2015141563.tif 000021